(57)【要約】【課題】良好な枠体の保管が可能な収納装置を提供する。【解決手段】収納装置１０は、支持台１１と、立設部１２と、複数の突出部１３と、を備えている。立設部１２は、支持台１１上に立設されている。突出部１３は、支持台１１と離間し、立設部１２から突出し、側壁１の内縁部１ｂを懸垂支持可能である。【選択図】      図３
2006095170.tif 000002
【特許請求の範囲】
【請求項１】
支持台と、
前記支持台上に立設された立設部と、
前記支持台と離間し、前記立設部から突出し、枠体の内縁部を懸垂支持可能な複数の突出部と、を備えている収納装置。
【請求項２】
前記突出部の少なくとも１つは、前記枠体の抜け落ちを防止する保持部を有している請求項１に記載の収納装置。
【請求項３】
前記突出部は、前記突出部が突出した突出方向に離間して並び、前記枠体の前記突出方向の移動を規制する複数の前記保持部を有している請求項２に記載の収納装置。
【請求項４】
前記保持部は、前記枠体の一部を受け入れるＶ字溝である請求項２または３に記載の収納装置。
【請求項５】
前記支持台上に設けられ、前記枠体の前記突出方向の移動を規制する少なくとも１つの移動規制部を有している請求項２ないし４のいずれか１項に記載の収納装置。
【請求項６】
前記移動規制部は、前記支持台上に設けられ、前記枠体下部を跨ぎ、前記枠体下部と対向している請求項５に記載の収納装置。
【請求項７】
前記移動規制部は、前記枠体を重力方向から傾けて保持している請求項５に記載の収納装置。
【発明の詳細な説明】
【技術分野】
【０００１】
この発明は、薄いガラス枠を収納可能な収納装置に関する。
【背景技術】
【０００２】
近年、画像表示装置として、電子放出素子を多数並べ、これら電子放出素子に蛍光面を対向配置させた平面型画像表示装置の開発が進められている。電子放出素子には様々な種類があるが、いずれも基本的には電界放出を用いている。例えば、薄型の画像表示装置として、電界放出型の電子放出素子から放出された電子ビームにより蛍光体を発光させるフィールドエミッションディスプレイ（以下、ＦＥＤと称する）、および表面伝導型電子放出素子の電子ビームにより蛍光体を発光させる表面伝導電子放出ディスプレイ（以下、ＳＥＤと称する）が知られている。
【０００３】
例えば、ＳＥＤは、隙間を置いて対向配置され、それぞれガラス基板からなる前面基板および背面基板を有し、これらの基板は、枠体としての矩形枠状の側壁を介して周縁部同士を互いに接合することにより真空外囲器を構成している。真空外囲器の内部は、真空度が１０−４Ｐａ程度以下の高真空に維持されている。また、背面基板および前面基板に加わる大気圧荷重を支えるために、これらの基板の間には複数のスペーサが配設されている。
【０００４】
前面基板の内面には、赤、青、緑の蛍光体層を含む蛍光面が形成され、背面基板の内面には、電子を放出し、蛍光体を励起して発光させるための多数の電子放出素子が設けられている。また、背面基板の内面には、多数の走査線および信号線がマトリクス状に形成され、各電子放出素子に接続されている。
【０００５】
蛍光面にはアノード電圧が印加され、電子放出素子から出た電子ビームがアノード電圧により加速されて蛍光面に衝突することにより、蛍光体が発光し映像が表示される。このようなＳＥＤでは、前面基板と背面基板との隙間を１〜２ｍｍ程度に設定することができ、現在のテレビやコンピュータのディスプレイとして使用されている陰極線管（ＣＲＴ）と比較して、軽量化、薄型化を達成することができる。すなわち、上記のように構成されたＳＥＤにおいて、厚さ１〜２ｍｍ程度、幅８ｍｍ程度の側壁が用いられている。
【０００６】
ＳＥＤを製造する際は、ガラス基板を各処理部へ搬送し、一方のガラス基板表面に蛍光面を形成して前面基板を構成し、他方のガラス基板表面に電子放出素子を形成して背面基板を構成する。なお、ガラス基板を各処理部間で移載する装置は知られている（例えば、特許文献１参照）。そして、前面基板の周縁部に側壁を接合し、側壁を介して前面基板および背面基板を貼り合せる。  
【特許文献１】特開２００３−２４３４８２号公報
【発明の開示】
【発明が解決しようとする課題】
【０００７】
ＳＥＤに用いる側壁は、上述したように比較的剛性が低く、薄い板材により形成されているため、側壁を安全に保管することは困難であった。つまり、側壁は薄い枠状の部材であるため、側壁を横置きに多層に積重ねて保管すると、自重により側壁が破損してしまう場合がある。側壁の枚数を減らして積重ねて保管すると、側壁の破損は抑制できるが、保管のためのスペース効率が悪い。また、横置きの側壁は撓み量が大きく、側壁を破損させてしまう可能性が高い。  
この発明は以上の点に鑑みなされたもので、その目的は、枠体を安全に保管できる収納装置を提供することにある。
【課題を解決するための手段】
【０００８】
上記課題を解決するため、本発明の態様に係る収納装置は、支持台と、前記支持台上に立設された立設部と、前記支持台と離間し、前記立設部から突出し、枠体の内縁部を懸垂支持可能な複数の突出部と、を備えている。
【発明の効果】
【０００９】
この発明によれば、枠体を安全に保管できる収納装置を提供することができる。
【発明を実施するための最良の形態】
【００１０】
以下、図面を参照しながらこの発明に係る収納装置を、ＳＥＤを構成する側壁の保管に利用した実施の形態について詳細に説明する。始めに、ＳＥＤの構成を説明する。  
図１および図２に示すように、このＳＥＤは、透明基板として、それぞれ矩形状のガラス基板からなる前面基板２ａ、および背面基板２ｂを備え、これらの基板は１〜２ｍｍの隙間を置いて対向配置されている。そして、前面基板２ａおよび背面基板２ｂは、枠体として、ガラスで構成された矩形枠状の側壁１を介して周縁部同士が接合され、内部が１０−４Ｐａ程度以下の高真空に維持された偏平な矩形状の真空外囲器３を構成している。
【００１１】
前面基板２ａの内面には蛍光面として機能する蛍光体スクリーン４が形成されている。この蛍光体スクリーン４は、赤、緑、青に発光する蛍光体層４ａおよびマトリクス状の遮光部４ｂで構成されている。これらの遮光部４ｂはストライプ状あるいはドット状に形成しても良い。この蛍光体スクリーン４上には、アノード電極として機能するメタルバック５が形成され、更に、メタルバックに重ねてゲッター膜６が形成されている。表示動作時、メタルバック５には所定のアノード電圧が印加される。
【００１２】
背面基板２ｂの内面上には、蛍光体層４ａを励起する電子ビームを放出する多数の電子放出素子７が設けられている。これらの電子放出素子７は、画素毎に対応して複数列および複数行に配列されている。各電子放出素子７は、図示しない電子放出部、この電子放出部に電圧を印加する一対の素子電極等で構成されている。また、背面基板２ｂの内面には、電子放出素子７に電圧を与える多数本の配線８がマトリック状に設けられ、その端部は真空外囲器３の周縁部に引出されている。
【００１３】
接合部材として機能する側壁１は、１〜２ｍｍ程度の薄いガラス板を枠状にして形成されている。そして、この側壁１は、例えば、低融点ガラス、低融点金属等の封着材１ａにより、前面基板２ａの周縁部および背面基板２ｂの周縁部に封着され、これらの基板同士を接合している。また、前面基板２ａおよび背面基板２ｂ間には、大気圧荷重を支えるため、板状あるいは柱状に形成された多数のスペーサ９が配置されている。
【００１４】
蛍光体スクリーン４にはメタルバック５を介してアノード電圧が印加され、電子放出素子７から放出された電子ビームはアノード電圧により加速され蛍光体スクリーン４に衝突する。これにより、対応する蛍光体層４ａが発光し映像が表示される。
【００１５】
次に、上記側壁１を保管する収納装置１０について詳細に説明する。  
図３ないし図５に示すように、収納装置１０は、水平方向、すなわち、第１方向ｄ１およびこの第１方向と直交した第２方向ｄ２に広がった支持台１１と、この支持台上に立設され、第１方向および第２方向と直交する第３方向ｄ３に延びた立設部１２と、この立設部の頂部近くから第１方向ｄ１に突出した複数の突出部１３と、を備えている。この実施の形態において、支持台１１および立設部１２は一体に形成されている。
【００１６】
各突出部１３は、支持台１１と離間した部位で、立設部１２から水平方向に片持ちばり状に突出して設けられている。突出部１３は、その先端から挿通され、吊るされる側壁を受け入れる。突出部１３は、保管対象としての側壁１の内縁部１ｂを懸垂支持する。この実施の形態において、立設部１２から２つの突出部１３が第１方向ｄ１に突出している。各突出部１３は、第１方向ｄ１に間隔を置いて並び、側壁１の第１方向の移動を規制し、突出部からの抜け落ちを防止する複数の保持部１４を有している。この実施の形態において、各突出部１３は、第１方向ｄ１に沿って離間した２つの保持部１４を有している。各保持部１４は、側壁１の一部を受け入れるＶ字溝である。このため、各保持部１４は、側壁１の内縁部１ｂの角と接触される。
【００１７】
図３ないし図７に示すように、収納装置１０は、支持台１１上に第１方向ｄ１に間隔を置いて並んで設けられた複数の移動規制部１５を有している。この実施の形態において、収納装置１０は、第１方向ｄ１に並んだ保持部１４にそれぞれ対向した２つの移動規制部１５を有している。
【００１８】
各移動規制部１５は、支持台１１上に固設された支点部１５ａと、先端が第１方向ｄ１に間隙Ｇを設けて二股に形成された回動部１５ｂと、支点部および回動部の他端を貫通して設けられた回転軸１５ｃとを有している。このため、回動部１５ｂは、回転軸１５ｃを中心に図７で第４方向ｄ４に回動可能である。また、移動規制部１５の間隙Ｇは、側壁１の厚さ（１〜２ｍｍ）以上であり、側壁との間にあそびがある。この実施の形態では、第１方向ｄ１において、移動規制部１５の間隙Ｇは、保持部１４の鉛直下方と対向している。このため、突出部１３に吊下げられ、保持部１４で保持された側壁１が静止した状態では、側壁は支持台１１から離間し、さらに、回動部１５ｂが第３方向ｄ３を向いた状態では、各移動規制部１５は、側壁１下部を第１方向ｄ１に跨ぎ、側壁１下部と対向している。各移動規制部１５は、側壁１の第１方向ｄ１の移動を規制する機能を有している。
【００１９】
以上のように構成された、収納装置１０によれば、この収納装置は、側壁１の内縁部１ｂを懸垂支持可能な突出部１３を有しているため、複数の側壁をそれぞれ縦向きに支持して収納することができる。側壁１を横向きに扱うことは無いため、側壁１の自重による破損を防止することができ、手動による側壁の搬送を安全に行なうことができる。
【００２０】
突出部１３は、複数の保持部１４を有しているため、側壁１の抜け落ちを防止することができる。また、収納装置１０に複数の側壁１が収納された場合であっても、間隔を置いて側壁を収納することができ、側壁の第１方向ｄ１の移動を規制することができるため、隣合う側壁同士の接触による破損を抑制することができる。保持部１４はＶ字溝であるため、側壁１の内縁部１ｂの角がその保持部１４と接触される。側壁１表面と保持部１４とが接触することは無いため、側壁１表面への不要物の付着を防止でき、側壁および封着材１ａを用いた前面基板２ａおよび背面基板２ｂの接合を良好に行なうことができる。
【００２１】
また、各突出部１３に１０個の保持部１４を形成すれば、収納装置１０に側壁１を縦向きに１０個収納できるため、側壁を横向きに収納する場合に比べ、収納効率（スペース効率）を向上させることができる。
【００２２】
上記したように、保持部１４により、側壁１の第１方向ｄ１の移動を規制したが、支持台１１上に移動規制部１５を設けることで、側壁の第１方向の移動を一層規制することができる。このため、収納装置１０に振動や衝撃が加わった場合であっても、側壁１を安全に保持することができる。  
上記したことから、収納装置１０を用いることで、側壁１を安全に保管することができる。
【００２３】
なお、この発明は、上述した実施の形態に限定されることなく、この発明の範囲内で種々変形可能である。例えば、図８に示すように、移動規制部１５が、側壁１を重力方向ｄｇから傾けて保持しても良い。ここでは、移動規制部１５は、第１方向ｄ１にずれて設けられている。これにより、側壁１の下部は常に移動規制部１５に自重を掛けて収納されるため、側壁の第１方向ｄ１の移動を一層規制することができる。
【００２４】
また、図９に示すように、移動規制部１５の先端は二股でなくても良い。この場合、移動規制部１５は、保持部１４の鉛直下方から第１方向ｄ１にずれて設けられている。これにより、側壁１の第１方向ｄ１の移動を規制することができるため、隣合う側壁同士の接触による破損を抑制することができる。なお、図１０に示すように、図９に示した移動規制部１５を用いて側壁１を傾けて保管しても良い。
【００２５】
上述した収納装置１０において、突出部１３の少なくとも１つが保持部１４を有し、支持台１１上に少なくとも１つの移動規制部１５が設けられていれば、上述した効果を得ることができる。突出部１３の本数は、側壁１のサイズや側壁を吊下げる向きに応じて変えれば良い。  
この発明の収納装置１０が扱う枠体は、ＳＥＤを構成する側壁１に限定されることなく、薄く形成され、破損しやすい枠体であれば良い。
【図面の簡単な説明】
【００２６】
【図１】この発明の実施の形態に係る収納装置に収納される側壁を備えたＳＥＤを示す斜視図。
【図２】図１の線Ａ−Ａに沿ったＳＥＤの断面図。
【図３】この発明の実施の形態に係る収納装置を示す斜視図。
【図４】図３に示した収納装置の側面図。
【図５】図４の線Ｃ−Ｃに沿った突出部の断面図。
【図６】図３の線Ｂ−Ｂに沿った収納装置の断面図。
【図７】図３、図４、および図６に示した他の保持部を拡大して示す正面図。
【図８】上記収納装置の変形例を示す収納装置の側面図。
【図９】上記実施の形態に係る収納装置と異なる収納装置を側面から見た他の保持部を示す断面図。
【図１０】図９に示した収納装置の変形例を示す収納装置の側面図。
【符号の説明】
【００２７】
１…側壁、１ｂ…内縁部、２ａ…前面基板、２ｂ…背面基板、３…真空外囲器、１０…収納装置、１１…支持台、１２…立設部、１３…突出部、１４…保持部、１５…移動規制部、１５ａ…支点部、１５ｂ…回動部、１５ｃ…回転軸、ｄ１，ｄ２，ｄ３，ｄ４，ｄｇ…方向。
【図１】
2006095170.tif 000003
【図２】
2006095170.tif 000004
【図３】
2006095170.tif 000005
【図４】
2006095170.tif 000006
【図５】
2006095170.tif 000007
【図６】
2006095170.tif 000008
【図７】
2006095170.tif 000009
【図８】
2006095170.tif 000010
【図９】
2006095170.tif 000011
【図１０】
2006095170.tif 000012